(57)【要約】【課題】  封止状態を十分な強度で保持可能で、術者が手術用の手袋をした状態であっても簡便に操作が可能で、手袋の貼り付き、或いはそれによる手袋の破れを防止可能な衛生封止袋を提供することを目的とする。【解決手段】  袋の中と外を電気的に接続する端子と、開口部を有する封止袋であって、塑性変形性の針状体が開口部に隣接して取り付けられていることを特徴とする医療用衛生封止袋、更には、前記針状体が開口部における被封止物の挿入方向に対して略平行、或いは略垂直に取り付けられてなる医療用衛生封止袋を提供した。【選択図】図１
2010017484.tif 000002
【特許請求の範囲】
【請求項１】
袋の中と外を電気的に接続する端子と、開口部を有する封止袋であって、塑性変形性の針状体が開口部に隣接して取り付けられていることを特徴とする医療用衛生封止袋。
【請求項２】
前記針状体が封入、溶着、或いは接着して前記衛生封止袋に取り付けられていることを特徴とする請求項１に記載の医療用衛生封止袋。
【請求項３】
前記針状体が、開口部における被封止物の挿入方向に対して略平行に取り付けられていることを特徴とする請求項１又は２の何れか１項に記載の医療用衛生封止袋。
【請求項４】
前記針状体が、開口部における被封止物の挿入方向に対して略垂直に取り付けられていることを特徴とする請求項１〜３の何れか１項に記載の医療用衛生封止袋。
【請求項５】
前記針状体が、銅、アルミニウム、ステンレス、鉄、ニッケル、錫、亜鉛から選ばれる１以上の金属、または１以上の金属を含む合金からなることを特徴とする請求項１〜４の何れか１項に記載の医療用衛生封止袋。
【請求項６】
前記針状体が、樹脂からなることを特徴とする請求項１〜４の何れか１項に記載の医療用衛生封止袋。
【請求項７】
前記針状体が、ポリエチレン、ポリプロピレン、ナイロン、ポリ塩化ビニルから選ばれる１以上の樹脂を含んで形成されていることを特徴とする請求項６に記載の医療用衛生封止袋。
【請求項８】
前記衛生封止袋の少なくとも一部が透明または半透明なフィルムからなることを特徴とする請求項１〜７の何れか１項に記載の医療用衛生封止袋。
【請求項９】
医療用電気機器の封入に用いることを特徴とする請求項１〜８の何れか１項に記載の医療用衛生封止袋。
【請求項１０】
前記衛生封止袋内部に医療用電気機器を封入することで医療用電気機器を無菌的に操作できることを特徴とする請求項１〜９の何れか１項に記載の医療用衛生封止袋。
【請求項１１】
衛生封止袋の内部に、開口部から抜き取りが可能な状態で、その端部が開口部から突出して配置されてなるスリーブを配置したことを特徴とする請求項１〜１０の何れか１項に記載の医療用衛生封止袋。
【請求項１２】
前記端子よりその他の機器や器具に接続するための１本または複数のリード線が伸びていることを特徴とする請求項１〜１１の何れか１項に記載の医療用衛生封止袋。
【請求項１３】
滅菌可能な材質からなることを特徴とする請求項１〜１２の何れか１項に記載の医療用衛生封止袋。
【請求項１４】
ＥＯＧ滅菌、電子線滅菌、或いはガンマ線滅菌から選ばれる１以上の滅菌が可能な材質からなることを特徴とする請求項１３に記載の医療用衛生封止袋。
【発明の詳細な説明】
【技術分野】
【０００１】
本発明は、簡便に袋外部もしくは袋内部の無菌性が確保できる医療用衛生封止袋に関するものである。
【背景技術】
【０００２】
近年、科学技術や医療の進歩により、医療現場で使用される医療用電気機器の小型化・簡便化が進み、術者本人が電気機器に触れる機会も増してきている。手術中の術者は清潔（無菌）である必要があるが、電気機器の大半は電気機器であるという特性上滅菌が困難であったり、再滅菌・再使用可能なものでも滅菌操作が煩雑であったりするため、電気機器は滅菌された衛生袋に入れ、衛生袋の上から操作が行われるのが通常である。
【０００３】
例えば、動脈瘤などに対する侵襲性の少ない治療法として知られている血管塞栓術では、デリバリー用のワイヤに接続された生体内留置部材を生体内の所望の位置に誘導した後、接続した電気機器（例えば、electrically detach generator等。以下、これをＥＤＧと言うことがある。）によりデリバリー用ワイヤと生体内留置部材が切り離される。前記電気機器の操作は術者が行う場合が一般的であり、このときに使用する電気機器（ＥＤＧ等）は、滅菌された電気的に接続ができる端子付衛生封止袋に入れた状態で使用されている。
【０００４】
この様な衛生封止袋として、これまで粘着テープによって封止状態を保持する構造のものが使用されていた。
【発明の開示】
【発明が解決しようとする課題】
【０００５】
従来、前記のような衛生袋では粘着テープによって開口部を封止することが行われてきたが、術者が手術用の手袋をした状態では、離型紙が剥がしにくいだけでなく、手袋が粘着テープに貼り付いたり、粘着テープに貼り付いたことにより手袋が破れたりと不具合があった。またテープの剥がれにより、使用中に意図せぬ開封も起き易いという問題があった。
【０００６】
本発明は、従来の技術が有する上記課題に鑑みてなされたものであって、封止状態を十分な強度で保持可能で、術者が手術用の手袋をした状態であっても簡便に操作が可能で、手袋の貼り付き、或いはそれによる手袋の破れを防止可能な衛生封止袋を提供することを目的とする。
【課題を解決するための手段】
【０００７】
本発明者は、上記課題を鑑み鋭意検討した結果、袋の中と外を電気的に接続する端子と、開口部を有する封止袋であって、塑性変形性の針状体が開口部に隣接して取り付けられていることを特徴とする医療用衛生封止袋を提供した。
【０００８】
これによれば、針状体の曲げ伸ばしにより開口と封止状態を保持することが可能となる為、十分な強度で、より簡便に、しかも手術用の手袋の貼り付き、更にはそれによる手袋の破れを防止することが可能となる。
【０００９】
また、前記針状体が封入、溶着、或いは接着して前記衛生封止袋に取り付けられていることを特徴とする前記医療用衛生封止袋を提供した。
【００１０】
また、前記針状体が、開口部における被封止物の挿入方向に対して略平行、又は略垂直に取り付けられていることを特徴とする前記医療用衛生封止袋を提供した。
【００１１】
また、衛生封止袋の内部に、開口部から抜き取りが可能な状態で、その端部が開口部から突出して配置されてなるスリーブを配置したことを特徴とする前記医療用衛生封止袋を提供した。
【００１２】
また、滅菌可能な材質からなることを特徴とする前記医療用衛生封止袋を提供した。
【発明の効果】
【００１３】
本発明の医療用衛生封止袋によれば、粘着テープの様に手袋に貼り付くこともなく、簡便に封止でき、また十分な強度で保持可能であり、より確実に被封止物の封止状態を維持することが出来る。
【発明を実施するための最良の形態】
【００１４】
本発明は、袋の中と外を電気的に接続する端子と、開口部を有する封止袋であって、塑性変形性の針状体が開口部に隣接して取り付けられていることを特徴とする医療用衛生封止袋に関するものである。
【００１５】
本発明の医療用衛生封止袋は各種用途に用いることができるが、一般に手術現場は無菌性に保たれる必要があり、電気機器等の滅菌操作が困難なもの、或いは再滅菌・再使用可能なものでも滅菌操作が煩雑であったりする被封止物であって、特にコストの点から使い捨てにすることができない場合に、特に好適に使用される。その様な例として、例えば、血管塞栓術に用いられる治療用具の一つであるＥＤコイルのデタッチ装置（electrically detach generator。以下、ＥＤＧということがある。）が挙げられる。特に血管塞栓術におけるＥＤＧの操作は、一度の手術において、手術用の手袋をした術者が、ＥＤコイルの体内への挿入操作とＥＤＧ操作を交互に、しかも何度も行う必要があり、特に本発明の医療用衛生封止袋を好適に使用することができる。
【００１６】
尚、医療用衛生封止袋は、これを通した被封止物の操作を容易にする為に、少なくとも一部が透明または半透明なフィルムから形成されていることが好ましい。また、医療用衛生封止袋自体が菌を保持していた場合に手術現場を無菌性に保つことができないことから、滅菌可能な材質、更にはＥＯＧ滅菌、電子線滅菌、或いはガンマ線滅菌から選ばれる１以上の滅菌が可能な材質で形成されていることが好ましい。
【００１７】
一方、医療用衛生封止袋の開口部は、医療用衛生封止袋の内部に被封止物を挿入する部分で、各種位置に各種形状で配置することが可能であるが、製造の簡便性、更には被封止物の挿入し易さから、医療用衛生封止袋の端部に、或いは端部から平行に配置されていることが好ましい。
【００１８】
また、本発明の医療用衛生封止袋は、針状体が開口部に隣接して取り付けられている。ここで針状体は、その作用機構から塑性変形性である必要があるが、その形状は、断面が円状、方形状、長方形状（リボン）等、更には必要に応じ全体の形状が板状（針状体の被覆面積が増加し、一般に効率は良くないが、強度は向上する。）等、各種形状を含むものである。
【００１９】
また、医療用衛生封止袋に対する針状体の固定方法としては、各種方法が使用可能であるが、例えば、封入、溶着、或いは接着などの方法が好適に使用可能である。
【００２０】
また、針状体は、医療用衛生封止袋の開口部における被封止物の挿入方向に対し、略平行に取り付けられていることが好ましい（図１に、これに該当する２つの実施態様（Ａ）、（Ｂ）の正面図を示した。）。この場合、針状体を被封止物の挿入方向に折り曲げる、或いは医療用衛生封止袋ごと巻きとることにより、容易に封止することができる。図１中の（Ａ）は、医療用衛生封止袋１ａの開口部２に隣接する位置に、被封止物の挿入方向に対し略平行に袋３を設け、これに針状体４を封入した例である（従って、針状体４も開口部２に隣接し、更に被封止物の挿入方向に対し略平行に配置されている。尚、比較的短い針状体４を、医療用衛生封止袋１ａの一部に配置した例を示したが、以下説明する（Ｂ）の様に医療用衛生封止袋１ａの一辺の全域に配置することも可能である。）。図１中の（Ｂ）は、医療用衛生封止袋１ａの開口部２に隣接する位置に、被封止物の挿入方向に対し略平行に、直接針状体４を溶着して配置した例である（（Ａ）の様に医療用衛生封止袋１ａの一部に配置することも可能である。）。
【００２１】
或いは、針状体が、医療用衛生封止袋の開口部における被封止物の挿入方向に対し、略垂直に取り付けられていることも好ましい。この場合、各種封止の仕方が考えられるが、例えば図１の（Ｃ）の様に形成し、針状体４上にこれを軸として医療用衛生封止袋１ａを巻いた後、針状体４の端部を折り曲げて、その巻いた状態をより安全に固定することが考えられる。
【００２２】
一方、図２には、（Ｄ）として、従来の医療用衛生封止袋１ｂの正面図を示した。図２に示す様に、医療用衛生封止袋１ｂには粘着テープ５が貼付されている。
【００２３】
図３は、従来の医療用衛生封止袋（Ｄ）、本発明の医療用衛生封止袋（Ａ）、（Ｃ）の封止時側面図である。本発明の医療用衛生封止袋においては、針状体４の形状保持力により封止状態が維持されており、また、従来の医療用衛生封止袋は折り曲げた医療用衛生封止袋１ｂを粘着テープ５に貼り付けることで封止状態を維持している。
【００２４】
尚、本発明の医療用衛生封止袋に用いられる針状体は、塑性変形性を有していれば、各種材料で形成することが可能であるが、金属を使用する際には、好ましくは銅、アルミニウム、ステンレス、鉄、ニッケル、錫、亜鉛から選ばれる１以上の金属、または１以上の金属を含む合金から形成することが可能である。一方、樹脂から形成する場合は、好ましくはポリエチレン、ポリプロピレン、ナイロン、ポリ塩化ビニルから選ばれる１以上の樹脂を含んで形成することができる。
【００２５】
一方、本発明の医療用衛生封止袋は、袋の中と外を電気的に接続する端子を有している。これにより、例えば医療用電気機器としてＥＤＧを内部に封止して使用する際に、ＥＤコイルを切断する為に必要となる電流をＥＤコイルに対して出力することが可能となる。また、その端子から、１本または複数のリード線を排出しておくことが好ましい。これによれば、ＥＤコイルに対する回路的な接続（実際にはＥＤコイルを押し込むためのプッシャー等を介して接続される）を容易に形成することができる。
【００２６】
図４は本発明の医療用衛生封止袋の一使用方法を説明するための概略図である。図４に示す様に、医療用衛生封止袋１ａの内部に、開口部から抜き取りが可能な状態で、その端部が開口部から突出して配置されてなるスリーブ７を清潔作業者１２が開き、不潔作業者１３が電気機器９を挿入した後、不潔作業者１３がスリーブ７を抜き取る。その後、清潔作業者１２が電気機器９と医療用衛生封止袋１ａに設けられた電気端子８を不潔な電気機器９に直接触れることなく接続してから医療用衛生封止袋１ａに設けられた針状体４を折り曲げることで、清潔を保ったまま電気機器９を医療用衛生封止袋１ａに封入する。特に、スリーブ７を使用することにより、電気機器９による医療用衛生封止袋１ａの汚染を防ぐことが可能となり、ひいては手術現場を無菌性に保つことが容易となる。
【実施例】
【００２７】
＜実施例１＞
ポリ塩化ビニル製の衛生袋の開口部付近に、同じくポリ塩化ビニル製の小袋を溶着し、その小袋にアルミニウム製針状体を封入し、図１の（Ａ）と同様の医療用衛生封止袋を作製した。上記ポリ塩化ビニル製衛生袋は、従来の衛生封止袋と同じ材質・寸法の袋であり、小袋は１２１ｍｍ×６ｍｍの長方形の袋である。また、上記アルミニウム製針状体としては、日本化線社製’自遊自在’（φ２．０ｍｍ）を長さ１１０ｍｍに切断したワイヤを使用した。
【００２８】
＜比較例１＞
実施例で使用したポリ塩化ビニル製の衛生袋を使用し、図２の（Ｄ）と同様の、従来タイプの粘着テープで封止を行なう医療用衛生封止袋を作製し、比較例として用いた。
【００２９】
＜比較実験＞；封止安定性試験
実験方法の概略図を図５に示す。実施例と比較例に示した医療用衛生封止袋をそれぞれ折り返し、封止部分６にバンド１０を挿んだ封止状態とし、そのバンドを矢印１１の方向に１．５ｋｇｆの力で引っ張ることで封止安定性の評価を行った。
【００３０】
実験の結果、実施例では医療用衛生封止袋の封止状態に変化がなく、一方比較例では封止に使用している粘着テープの両端に剥がれが生じた。この結果より、実施例は、比較例より高い封止安定性を有していることが確認された。
【図面の簡単な説明】
【００３１】
【図１】本発明の医療用衛生封止袋の正面図
【図２】従来の医療用衛生封止袋の正面図
【図３】医療用衛生封止袋の封止時側面図
【図４】医療用衛生封止袋の一使用方法概略図
【図５】封止安定性試験概略図
【符号の説明】
【００３２】
１    医療用衛生封止袋
１ａ  針状体を、封入または融着した医療用衛生封止袋
１ｂ  従来の医療用衛生封止袋
２    医療用衛生封止袋の開口部
３    針状体を封入する袋
４    針状体
５    粘着テープ
６    折り返し封止部分
７    スリーブ
８    電気端子
９    電気機器
１０  バンド
１１  封止安定性試験でバンドを引っ張る方向
１２  清潔作業者
１３  不潔作業者
【図１】
2010017484.tif 000003
【図２】
2010017484.tif 000004
【図３】
2010017484.tif 000005
【図４】
2010017484.tif 000006
【図５】
2010017484.tif 000007